(57)【特許請求の範囲】
【請求項１】
一端側からコネクタ付の第１光ケーブルが脱着可能に連結され且つ他端側から第２光ケーブルが連結される光アダプタであって、底壁、一対の側壁及び上壁によって画される内部空間の一端側及び他端側がそれぞれ前記第１及び第２光ケーブルを受け入れる第１及び第２収容部とされ且つ中間部分に前記第１及び第２光ケーブルのフェルールが挿入される中空のスリーブが設けられた光アダプタの一端側に脱着可能に装着されるシャッタアッセンブリであって、
前記光アダプタの前記底壁、前記一対の側壁及び前記上壁の外周面にそれぞれ当接する底面部、一対の側面部及び上面部を有し、前記光アダプタを囲繞するように該光アダプタの一端側に脱着可能に装着されるシャッタハウジングと、
前記底面部、前記一対の側面部及び前記上面部の一端側端辺によって画される前記シャッタハウジングの一端側開口を開閉し得るように前記底面部の一端側端辺に枢支軸を介して揺動可能に連結されたシャッタ部材と、
前記シャッタハウジングの前記一端側開口を閉塞する方向に前記シャッタ部材を付勢するコイルスプリングとを備え、
前記シャッタ部材は、前記シャッタハウジングの一端側開口を閉塞するシャッタ本体と、該シャッタ本体の基端側面に一体的に設けられた一対の第１及び第２軸受部であって、前記枢支軸が内挿される一対の第１及び第２軸受部とを有しており、
前記第２軸受部には、前記第１軸受部と対向する対向端面に開き、且つ、前記枢支軸の軸線方向と直交する方向に沿ったガイド溝が設けられており、
前記ガイド溝の開口幅は、前記対向端面においては前記軸受部の軸受孔の直径よりも大とされ、且つ、前記対向端面から前記第１軸受部とは反対方向へ行くに従って幅狭とされていることを特徴とするシャッタアッセンブリ。
【請求項２】
前記第１軸受部には、前記第２軸受部とは反対側の外端面に開き且つ前記第２軸受部に近接する方向へ行くに従って縮径されたガイド孔が設けられていることを特徴とする請求項１に記載のシャッタアッセンブリ。
【請求項３】
前記底面部は、前記底壁に当接するプレート状の底面本体と、前記シャッタ部材を前記シャッタハウジングに連結させた状態において前記シャッタ部材の前記第１軸受部及び前記第２軸受部の間において前記底面本体から一端側へ延び、前記枢支軸を支持する支持片と、前記シャッタ部材を前記シャッタハウジングに連結させた状態において前記シャッタ部材の前記第１軸受部よりも前記枢支軸の軸線方向に関し外方において前記底面本体から一端側へ延びる第１停止片であって、前記枢支軸の基端部と対向する第１停止片と、前記シャッタ部材を前記シャッタハウジングに連結させた状態において前記シャッタ部材の前記第２軸受部よりも前記枢支軸の軸線方向に関し外方において前記底面本体から一端側へ延びる第２停止片であって、前記枢支軸の先端部と対向する第２停止片とを備え、
前記シャッタ本体の前記基端側面は、少なくとも前記第１停止片に対応した領域が切り欠かれていることを特徴とする請求項１又は２に記載のシャッタアッセンブリ。
【請求項４】
前記第１停止片は、前記底面本体から一端側へ延びるアーム部と、前記枢支軸の基端部と対向するように前記アーム部から折り曲げられた停止面部とを有していることを特徴とする請求項３に記載のシャッタアッセンブリ。
【請求項５】
前記コイルスプリングは、前記シャッタ部材が閉塞位置から開放位置へ移行するに従って保有弾性が大きくなるように、一端部が前記シャッタ部材の内部又は外表面に係合され且つ他端部が前記底面部の外表面に係合された状態で前記枢支軸に外挿されており、
前記シャッタ本体は、前記基端側面に形成され且つ前記コイルスプリングの一端部が係入される係入穴又は前記外表面に形成され且つ前記コイルスプリングの一端部が係入される係入溝を有することを特徴とする請求項１から４の何れかに記載のシャッタアッセンブリ。
【発明の詳細な説明】
【技術分野】
【０００１】
本発明は、一端側からコネクタ付の光ケーブルが脱着可能に連結され且つ他端側から他の光ケーブルが連結される光アダプタに装着されるシャッタアッセンブリに関する。
【背景技術】
【０００２】
光ケーブルを終端し、他の機器と接続／離接を容易にする光コネクタを受け入れて、他の光ケーブルに中継するために当該他の光ケーブルと連結可能に構成した光アダプタが公知である。このような光アダプタは、底壁、一対の側壁及び上壁によって画される内部空間の一端側及び他端側がそれぞれ前記第１及び第２光ケーブルを受け入れる第１及び第２収容部とされ且つ中間部分に前記第１及び第２光ケーブルのフェルールが挿入される中空のスリーブが設けられている。そして、光アダプタの第1及び第２収容部のうちいずれか一方にだけ光ケーブルが挿通された状態で使用する場合（即ち、光ケーブルを終端している状態で使用する場合）、当該挿通された光ケーブルの先端部を塵や埃の付着から防止したり、使用者が当該光ケーブルからの光を直視してしまわないようにするために、前記底壁、前記一対の側壁及び前記上壁の一端側端辺によって画される前記光アダプタの開口端を開閉し得るように前記底壁の一端側端辺に枢支軸を介して揺動可能に連結されたシャッタ部材が設けられた構成が公知となっている（例えば、特許文献１参照）。
前記シャッタ部材は、前記光アダプタの開口端を閉塞するシャッタ本体と、該シャッタ本体の端辺に一体的に設けられた一対の第１及び第２軸受部であって、前記枢支軸が内挿される一対の第１及び第２軸受部とを有している。
【０００３】
このような光アダプタにシャッタ部材を取り付ける場合、まず、前記枢支軸をシャッタ部材の前記第１軸受部に、前記第２軸受部とは反対側の外端面から挿通させた後、第２軸受け部と対向する対向端面から挿出された枢支軸を光アダプタ側の軸受部に挿通させ、続いて、光アダプタ側の軸受部から挿出された枢支軸を前記第２軸受部に、第１軸受部と対向する対向端面から挿通させている。
【０００４】
ここで、前記枢支軸を各軸受部に挿通容易にして組立作業効率を向上させるために、軸受部の枢支軸挿入側端面に開き且つ挿出側端面に近接する方向に行くに従って縮径されたガイド孔（いわゆるざぐり孔）を設ける構成が公知である。ガイド孔を設けることにより、軸受部の枢支軸挿入側端面から枢支軸を挿入する際、軸受部の開口径がより大きくなるため、枢支軸の挿通を容易に行うことができる。
【０００５】
しかしながら、上記ガイド孔は、前記第２軸受部の挿入側端面、即ち、前記第１軸受部と対向する対向端面に設けることが困難である。というのも、前記ガイド孔を形成するためには、第１及び第２軸受部を含むシャッタ部材の一体成型時において、第１及び第２軸受部の軸線方向（枢支軸の挿通方向）に前記ガイド孔用の金型を抜き出す必要があるが、前記第２軸受部の対向端面と前記第１軸受部の対向端面との距離をシャッタ部材の大きさの要請から長く取れないため、前記ガイド孔用の金型を第１軸受部と第２軸受部との間に設けることが困難であり、例え、設けられたとしても、前記軸線方向に抜き出すことが困難で工作精度が悪化し、反って組立作業効率を悪化させてしまうおそれがあった。
【特許文献１】特開２００２−１４８４８３号公報
【発明の開示】
【発明が解決しようとする課題】
【０００６】
本発明はかかる従来技術に鑑みなされたものであり、光アダプタの一端側開口を開閉し得るように枢支軸を介して揺動可能に連結されたシャッタ部材の組立作業効率をより向上させることができるシャッタアッセンブリを提供することを目的とする。
【課題を解決するための手段】
【０００７】
本発明に係るシャッタアッセンブリは、一端側からコネクタ付の第１光ケーブルが脱着可能に連結され且つ他端側から第２光ケーブルが連結される光アダプタであって、底壁、一対の側壁及び上壁によって画される内部空間の一端側及び他端側がそれぞれ前記第１及び第２光ケーブルを受け入れる第１及び第２収容部とされ且つ中間部分に前記第１及び第２光ケーブルのフェルールが挿入される中空のスリーブが設けられた光アダプタの一端側に脱着可能に装着されるシャッタアッセンブリであって、前記光アダプタの前記底壁、前記一対の側壁及び前記上壁の外周面にそれぞれ当接する底面部、一対の側面部及び上面部を有し、前記光アダプタを囲繞するように該光アダプタの一端側に脱着可能に装着されるシャッタハウジングと、前記底面部、前記一対の側面部及び前記上面部の一端側端辺によって画される前記シャッタハウジングの一端側開口を開閉し得るように前記底面部の一端側端辺に枢支軸を介して揺動可能に連結されたシャッタ部材と、前記シャッタハウジングの前記一端側開口を閉塞する方向に前記シャッタ部材を付勢するコイルスプリングとを備え、前記シャッタ部材は、前記シャッタハウジングの一端側開口を閉塞するシャッタ本体と、該シャッタ本体の端辺に一体的に設けられた一対の第１及び第２軸受部であって、前記枢支軸が内挿される一対の第１及び第２軸受部とを有しており、前記第２軸受部には、前記第１軸受部と対向する対向端面に開き、且つ、前記枢支軸の軸線方向と直交する方向に沿ったガイド溝が設けられており、前記ガイド溝の開口幅は、前記対向端面においては前記軸受部の軸受孔の直径よりも大とされ、且つ、前記対向端面から前記第１軸受部とは反対方向へ行くに従って幅狭とされていることを特徴とするものである。
【０００８】
上記構成のシャッタアッセンブリによれば、前記光アダプタの前記底壁、前記一対の側壁及び前記上壁の外周面にそれぞれ当接する底面部、一対の側面部及び上面部を有するシャッタハウジングの底面部の一端側端辺にシャッタ部材が揺動可能に連結されており、シャッタ部材が揺動することにより前記シャッタハウジングの一端側開口が開閉される。前記シャッタ部材は、コイルスプリングによりシャッタハウジングの前記一端側開口を閉塞する方向に付勢されている。このようなシャッタアッセンブリのシャッタハウジングが光アダプタの一端側に当該光アダプタを囲繞するように脱着可能に装着される。
ここで、シャッタ部材は、前記光アダプタの一端側開口を閉塞するシャッタ本体の基端側面に一対の第１及び第２軸受部が一体的に設けられている。前記第１及び第２軸受部に前記枢支軸が内挿されることにより、前記シャッタ部材がシャッタハウジングに対して枢支軸回りに揺動可能に連結されている。そして、前記第２軸受部には、前記第１軸受部と対向する対向端面に開き、且つ、前記枢支軸の軸線方向と直交する方向に沿ったガイド溝であって、開口幅が前記対向端面においては前記軸受部の軸受孔の直径よりも大とされ、且つ、前記対向端面から前記第１軸受部とは反対方向へ行くに従って幅狭とされたガイド溝が設けられている。
【０００９】
このように、前記第２軸受部の前記第１軸受部と対向する対向端面に開き、且つ、前記枢支軸の軸線方向と直交する方向に沿ったガイド溝を設けることにより、第１及び第２軸受部を含むシャッタ部材を金型を用いた樹脂成形で形成する際に、前記枢支軸の軸線方向と直交する方向に前記ガイド溝用の金型を抜き出すことができるため、第２軸受部に対向する第１軸受部に邪魔されることなく容易に金型を抜き出すことができ、ガイド溝を容易に形成することができる。
しかも、前記ガイド溝の開口幅は、前記対向端面においては前記軸受部の軸受孔の直径よりも大とされ、且つ、前記対向端面から前記第１軸受部とは反対方向へ行くに従って幅狭とされているため、前記第１軸受部に挿通させた前記枢支軸の先端部を前記第２軸受部の前記対向端面から挿通させる際に、軸受部の開口面積がより大きくなり、枢支軸の挿通を容易に行うことができる。
従って、光アダプタの一端側開口を開閉し得るように枢支軸を介して揺動可能に連結されたシャッタ部材の組立作業効率をより向上させることができる。
【００１０】
好ましくは、前記第１軸受部には、前記第２軸受部とは反対側の外端面に開き且つ前記第２軸受部に近接する方向へ行くに従って縮径されたガイド孔が設けられている。
【００１１】
この場合、第１軸受部の枢支軸挿入側となる外端面に開き且つ第２軸受部に近接する方向へ行くに従って縮径されたガイド孔が設けられる。従って、枢支軸の先端部を第１軸受部の前記外端面から挿入させる際に、軸受部の開口径がより大きくなり、枢支軸の挿通をより容易に行うことができる。
【００１２】
好ましくは、前記底面部は、前記底壁に当接するプレート状の底面本体と、前記シャッタ部材を前記シャッタハウジングに連結させた状態において前記シャッタ部材の前記第１軸受部及び前記第２軸受部の間において前記底面本体から一端側へ延び、前記枢支軸を支持する支持片と、前記シャッタ部材を前記シャッタハウジングに連結させた状態において前記シャッタ部材の前記第１軸受部よりも前記枢支軸の軸線方向に関し外方において前記底面本体から一端側へ延びる第１停止片であって、前記枢支軸の基端部と対向する第１停止片と、前記シャッタ部材を前記シャッタハウジングに連結させた状態において前記シャッタ部材の前記第２軸受部よりも前記枢支軸の軸線方向に関し外方において前記底面本体から一端側へ延びる第２停止片であって、前記枢支軸の先端部と対向する第２停止片とを備え、前記シャッタ本体の前記基端側面は、少なくとも前記第１停止片に対応した領域が切り欠かれている。
【００１３】
この場合、前記シャッタ部材を前記シャッタハウジングに連結する際に、第１停止片を前記光アダプタの底壁から離間する方向に変形させた状態で、前記枢支軸の先端部をシャッタ部材の第１軸受部に挿通させるとともに、底面部の支持片に支持させる。その後、前記枢支軸の先端部を第２支持片及び第２軸受部に挿通させる。このとき、前記第２停止片は、前記枢支軸の先端部と対向するように配置されているため、第２停止片によって前記枢支軸の挿通方向への抜けが防止されている。この状態において、前記第１停止片が前記枢支軸の基端部と対向するように、前記第１停止片を前記光アダプタの底壁に近接する方向へ再変形させることにより、第１停止片が前記枢支軸の挿入方向とは反対方向への抜けを防止する。
【００１４】
ここで、前記シャッタ本体の前記基端側面が直線状であると、前記第１停止片を前記光アダプタの底壁に近接する方向へ再変形させる際に、前記第１停止片を前記基端側面に当接させるまで押し曲げても、前記第１停止片の弾性により前記第１停止片が変形前の位置まで戻らない場合がある。このような場合、結果として、前記第１停止片による前記枢支軸の抜け止め作用に支障を来す恐れがある。
そこで、この点に鑑み、前記シャッタ本体の前記基端側面は、少なくとも前記第１停止片に対応した領域が切り欠かれている。これにより、前記第１停止片を前記光アダプタの底壁に近接する方向へ再変形させる際に、押し曲げ量をより多くすることができるため、前記第１停止片を前記変形前の位置まで確実に戻すことができ、前記第１停止片による前記枢支軸の抜け止め作用をより確実に発揮させることができる。
【００１５】
より好ましくは、前記第１停止片は、前記底面本体から一端側へ延びるアーム部と、前記枢支軸の基端部と対向するように前記アーム部から折り曲げられた停止面部とを有している。
【００１６】
この場合、枢支軸の基端部は、第１停止片における前記底面本体から一端側へ延びるアーム部から折り曲げられた停止面部と対向するように配置される。
従って、第１停止片が前記枢支軸の挿入方向とは反対方向への抜けを防止する際に、前記枢支軸の基端部を面で受けることができるため、前記第１停止片を前記光アダプタの底壁に近接する方向へ再変形させる際の押し曲げ量について個体によって多少のばらつきが生じた場合であっても、前記第１停止片による前記枢支軸の抜け止め作用をより確実に生じさせることができる。
【００１７】
好ましくは、前記コイルスプリングは、前記シャッタ部材が閉塞位置から開放位置へ移行するに従って保有弾性が大きくなるように、一端部が前記シャッタ部材の内部又は外表面に係合され且つ他端部が前記底面部の外表面に係合された状態で前記枢支軸に外挿されており、前記シャッタ本体は、前記基端側面に形成され且つ前記コイルスプリングの一端部が係入される係入穴又は前記外表面に形成され且つ前記コイルスプリングの一端部が係入される係入溝を有している。
【００１８】
この場合、コイルスプリングの一端部がシャッタ部材の内部又は外表面に係合される一方、他端部がシャッタハウジングの底面部の外表面に係合された状態で枢支軸に外挿される。これにより、シャッタ部材を閉塞位置から開放位置へ移行させるに従ってコイルスプリングが巻き締められて、保有弾性が大きくなる。従って、シャッタ部材が閉塞位置にへ向けて付勢される。
ここで、シャッタ本体の前記基端側面に形成された係入穴又は前記外表面に形成された係入溝にコイルスプリングの一端部が係入される。従って、コイルスプリングの一端部がシャッタ本体の前記係入穴又は係入溝に係入した状態で枢支軸を各軸受部に挿通する作業を行うことができるため、挿通作業時におけるコイルスプリングの脱落を防止し、位置決めを容易にすることができ、組立作業をより容易にすることができる。
【発明の効果】
【００１９】
本発明に係るシャッタアッセンブリによれば、第２軸受部の第１軸受部と対向する対向端面に開き、且つ、枢支軸の軸線方向と直交する方向に沿ったガイドを設けることにより、第１及び第２軸受部を含むシャッタ部材の一体成型時において、前記枢支軸の軸線方向と直交する方向に前記ガイド溝用の金型を抜き出すことができるため、第２軸受部に対向する第１軸受部に邪魔されることなく容易に金型を抜き出すことができる。
しかも、前記ガイド溝の開口幅は、前記対向端面においては前記軸受部の軸受孔の直径よりも大とされ、且つ、前記対向端面から前記第１軸受部とは反対方向へ行くに従って幅狭とされているため、前記第１軸受部に挿通させた前記枢支軸を前記第２軸受部の前記対向端面から挿通させる際に、軸受部の開口面積がより大きくなり、枢支軸の挿通を容易に行うことができる。
従って、光アダプタの一端側開口を開閉し得るように枢支軸を介して揺動可能に連結されたシャッタ部材の組立作業効率をより向上させることができる。
【発明を実施するための最良の形態】
【００２０】
以下、本発明に係るシャッタアッセンブリの好ましい実施形態について、添付図面を参照しつつ説明する。まず、前記シャッタアッセンブリを装着する光アダプタの構成について説明する。
【００２１】
まず、ＳＣ型光アダプタの構成について説明する。
図１０はＳＣ型光アダプタの斜視図であり、図１１は図１０の軸線方向断面斜視図である。
ＳＣ型光アダプタＳ１は、図１０及び図１１に示すように、少なくとも一端側にＳＣ型光コネクタＳ２が設けられた第１光ケーブルＳ３が脱着可能に連結されるように構成されている。
【００２２】
本実施の形態においては、前記ＳＣ型光アダプタＳ１は、光コネクタＳ２が設けられた第１光ケーブルＳ３が連結される第１アダプタハウジングＳ１ａと、第２光ケーブル（図示しないが第１光ケーブルＳ３と同様）が連結される第２アダプタハウジングＳ１ｂとを有しており、前記第１及び第２アダプタハウジングＳ１ａ，Ｓ１ｂは互いに同一形状とされている。
即ち、ＳＣ型光アダプタＳ１の一端側を形成する第１アダプタハウジングＳ１ａはＳＣ型光コネクタＳ２が設けられた第１光ケーブルＳ３が脱着可能に連結され、ＳＣ型光アダプタＳ１の他端側を形成する第２アダプタハウジングＳ１ｂはＳＣ型光コネクタが設けられた第２光ケーブルが脱着可能に連結される。
【００２３】
前記ＳＣ型光アダプタＳ１は、図１０及び図１１に示すように、上壁（第１上壁Ｓ１１ａ及び第２上壁Ｓ１１ｂ）と、前記上壁Ｓ１１の側方端辺から下方へ延在する一対の側壁（第１側壁Ｓ１２ａ及び第２側壁Ｓ１２ｂ）と、前記一対の側壁Ｓ１２ａ，Ｓ１２ｂの下方端辺の間に延びる底壁（第１底壁Ｓ１３ａ及び第２底壁Ｓ１３ｂ）と、前記ＳＣ型光アダプタＳ１の軸線方向中間部位に設けられた中間壁Ｓ１４と、前記中間壁Ｓ１４に軸線方向に沿うように設けられた中空のボス部（第１ボス部Ｓ１５ａ及び第２ボス部Ｓ１５ｂ）と、前記ボス部の中空部内に挿入された中空のスリーブＳ１６とを有している。
【００２４】
前記第１アダプタハウジングＳ１ａは、第１上壁Ｓ１１ａ、第１側壁Ｓ１２ａ及び第１底壁Ｓ１３ａの一端側に開口端Ｓ１８ａが設けられるとともに、他端側に端壁（前記中間壁Ｓ１４となる）が設けられ、各壁の内方に光コネクタＳ２を収容可能な第１収容部Ｓ１７ａを有している。前記端壁には、第１ボス部Ｓ１５ａが一体的に設けられている。同様に、前記第２アダプタハウジングＳ１ｂは、第２上壁Ｓ１１ｂ、第２側壁Ｓ１２ｂ及び第２底壁Ｓ１３ｂの一端側に開口端Ｓ１８ｂが設けられるとともに、他端側に端壁（前記中間壁Ｓ１４となる）が設けられ、各壁の内方に光コネクタＳ２を収容可能な第２収容部Ｓ１７ｂを有している。前記端壁には、第１ボス部Ｓ１５ｂが一体的に設けられている。前記第１及び第２アダプタハウジングＳ１ａ，Ｓ１ｂは、前記端壁の外表面同士を当接させ、前記第１及び第２ボス部Ｓ１５ａ，Ｓ１５ｂが連通された状態で接合されており、前記第１及び第２ボス部Ｓ１５ａ，Ｓ１５ｂ内に前記スリーブＳ１６が挿入されている。
【００２５】
前記ＳＣ型光アダプタＳ１の第１収容部Ｓ１７ａの開口端（即ち、前記第１アダプタハウジングＳ１ａの開口端）Ｓ１８ａは、側面視における一端側端辺の形状が略垂直方向に沿った直線状とされている。詳しくは、前記第１上壁Ｓ１１ａは、開口端Ｓ１８ａ側に位置する開口端辺（一端側端辺）Ｓ１１ａ１と、前記開口端辺Ｓ１１ａ１の両端部から前記中間壁Ｓ１４へ向かって延びる一対の側方端辺Ｓ１１ａ２とを含む。
前記第１底壁Ｓ１３ａは、開口端Ｓ１８ａ側に位置する開口端辺（一端側端辺）Ｓ１３ａ１と、前記開口端辺Ｓ１３ａ１の両端部から前記中間壁Ｓ１４へ向かって延びる一対の側方端辺Ｓ１３ａ２とを含む。
前記一対の第１側壁Ｓ１２ａは、前記第１上壁Ｓ１１ａの側方端辺Ｓ１１ａ２及び前記第１底壁Ｓ１３ａの側方端辺Ｓ１３ａ２によってそれぞれ画される上方端辺Ｓ１２ａ１及び下方端辺Ｓ１２ａ２と、前記上方端辺Ｓ１２ａ１及び前記下方端辺Ｓ１２ａ２の一端側端部同士を連結する開口端辺（一端側端辺）Ｓ１２ａ３とを含む。
前記開口端Ｓ１８ａの各端辺は、ＳＣ型光アダプタＳ１の軸線方向に略垂直となっている。
【００２６】
また、前記ＳＣ型光アダプタＳ１の前記第１収納部Ｓ１７ａは、前記中間壁Ｓ１４から開口端Ｓ１８ａ側に延び、前記側壁Ｓ１２ａ方向へ弾性変形可能に形成された一対の係合片Ｓ１７ａ１と、前記係合片Ｓ１７ａ１の先端部内方に形成され、軸線方向中央部から先端部側へ行くに従って軸線中心から離間し、前期軸線方向中央部から基端部側へ行くに従って軸線中心から離間する係合突起Ｓ１７ａ２とを有している。
【００２７】
このようなＳＣ型光アダプタＳ１の第１収容部Ｓ１７ａにケーブル素線が被覆されて構成される第１光ケーブルＳ３を接続可能とするＳＣ型光コネクタＳ２は、前記第１光ケーブルＳ３の連結端部側において露出されたケーブル素線に外挿されるフェルールＳ２１と、前記フェルールＳ２１を囲繞するＳＣ型光コネクタ本体Ｓ２２と、前記ＳＣ型光コネクタ本体Ｓ２２の上面にＳＣ型光アダプタＳ１への挿通方向に沿ったガイド片Ｓ２３と、前記ＳＣ型光コネクタ本体Ｓ２２の両側面に設けられ、前記ＳＣ型光アダプタＳ１の挿通時に前記係合突起Ｓ１７ａ２と係合し且つ前記ＳＣ型光アダプタＳ１の前記係合片Ｓ１７ａ１を前記側壁Ｓ１２ａ方向へ弾性変形させながら案内する係合溝Ｓ２４と、前記フェルールＳ２１が前記スリーブＳ１６内に突入される連結位置まで前記ＳＣ型光コネクタＳ２が挿入されたときに、前記係合溝Ｓ２４及び前記係合片Ｓ１７ａ１の係合が解除されて前記係合片Ｓ１７ａ１が保有弾性によって側方へ移動することで前記係合突起Ｓ１７ａ２と係合して該ＳＣ型光コネクタＳ２の抜け止めを行う係合凹部Ｓ２５とを有している。
さらに、前記ＳＣ型光アダプタＳ１の前記上壁Ｓ１１ａには、前記上壁Ｓ１１ａの開口端辺Ｓ１１ａ１から軸線方向に沿って前記ＳＣ型光コネクタＳ２のガイド片Ｓ２３を案内するガイド溝Ｓ１９が設けられている。
【００２８】
以上のような構成において、前記ＳＣ型光アダプタＳ１の第１収納部Ｓ１７ａの開口端Ｓ１８ａに向けて前記ＳＣ型光コネクタＳ２のＳＣ型光コネクタ本体Ｓ２２を挿通させることにより両者を接続する。このとき、前記ＳＣ型光アダプタＳ１のガイド溝Ｓ１９に前記ＳＣ型光コネクタＳ２のガイド片Ｓ２３を係合させることにより、前記ＳＣ型光アダプタＳ１に対する前記ＳＣ型光コネクタＳ２の位置決めを行うことができるため、第１光ケーブルと第２光ケーブルが前記ＳＣ型光アダプタＳ１に接続されることにより対向した際に、互いのフェルールＳ２１が同軸で精度よく接触することができる。
【００２９】
また、前記第１収納部Ｓ１７ａ内に挿通された前記ＳＣ型光コネクタ本体Ｓ２２により、前記ＳＣ型光アダプタＳ１の係合突起Ｓ１７ａ２が前記ＳＣ型光コネクタＳ２のガイド溝Ｓ２４に係合し、前記係合突起Ｓ１７ａ２のテーパ面により、前記ＳＣ型光アダプタＳ１の係合片Ｓ１７ａ１を左右に押し広げて弾性変形させる。さらに奥に挿通され、前記係合突起Ｓ１７ａ２が前記ＳＣ型光コネクタＳ２の係合凹部Ｓ２５の位置に来ると、前記ガイド溝Ｓ２４との係合が解除されるため、前記係合片Ｓ１７ａ１の保有弾性により、前記係合突起Ｓ１７ａ２が左右中央側へ移動し、前記係合凹部Ｓ２５と係合され、前記ＳＣ型光アダプタＳ１から前記ＳＣ型光コネクタＳ２が抜け出すのを防止する。
なお、前記係合突起Ｓ１７ａ２と前記係合凹部Ｓ２５との係合時において、前記フェルールＳ２１の先端部は、スリーブＳ１６内の中央壁Ｓ１４を少し越えたあたりに位置される。前記フェルールＳ２１は、前記ＳＣ型光コネクタＳ２に対して軸線方向に移動可能且つ軸線方向先端側に付勢されている。従って、第１光ケーブルと第２光ケーブルとが前記ＳＣ型光アダプタＳ１に接続されると、互いのフェルールＳ２１が先端部同士を押し付けあう状態で当接される。これにより、接続時における光の伝達ロスを可及的に少なくすることができる。
【００３０】
ところで、前記係合突起Ｓ１７ａ２においては、前記係合凹部Ｓ２５との係合面（抜け側に荷重がかかる面）にもテーパ面が形成されている。これにより、抜け側に所定以上の力を加えることにより、前記係合突起Ｓ１７ａ２と前記係合凹部Ｓ２５との係合が解除され、再び前記係合片Ｓ１７ａ１を左右に押し広げて弾性変形させる。さらに抜け側に力を加えることにより、前記ＳＣ型光アダプタＳ１から前記ＳＣ型光コネクタＳ２を引き抜くことができる。
【００３１】
なお、上記説明においては、前記第１及び第２アダプタハウジングＳ１ａ，Ｓ１ｂを同一形状としたが、当然ながら本発明は斯かる形態に限定されるものではない。
【００３２】
続いて、ＬＣ型光アダプタの構成について説明する。
図１２はＬＣ型光アダプタの斜視図であり、図１３は図１２の軸線方向断面斜視図である。
ＬＣ型光アダプタＬ１は、図１２及び図１３に示すように、少なくとも一端側にＬＣ型光コネクタＬ２が設けられた第１光ケーブルＬ３が脱着可能に連結されるように構成されている。
本実施の形態においては、前記ＬＣ型光アダプタＬ１は、光コネクタＬ２が設けられた第１光ケーブルＬ３が連結される第１アダプタハウジングＬ１ａと、第２光ケーブル（図示しないが第１光ケーブルＬ３と同様）が連結される第２アダプタハウジングＬ１ｂとを有しており、前記第１及び第２アダプタハウジングＬ１ａ，Ｌ１ｂは互いに同一形状とされている。
即ち、ＬＣ型光アダプタＬ１の一端側を形成する第１アダプタハウジングＬ１ａはＬＣ型光コネクタＬ２が設けられた第１光ケーブルＬ３が脱着可能に連結され、ＬＣ型光アダプタＬ１の他端側を形成する第２アダプタハウジングＬ１ｂはＬＣ型光コネクタが設けられた第２光ケーブル（前記第１光ケーブルＬ３と同様の構成）が脱着可能に連結される。
【００３３】
前記ＬＣ型光アダプタＬ１は、図１２及び図１３に示すように、上壁（第１上壁Ｌ１１ａ及び第２上壁Ｌ１１ｂ）と、前記上壁Ｌ１１の側方端辺から下方へ延在する一対の側壁（第１側壁Ｌ１２ａ及び第２側壁Ｌ１２ｂ）と、前記一対の側壁Ｌ１２ａ，Ｌ１２ｂの下方端辺の間に延びる底壁（第１底壁Ｌ１３ａ及び第２底壁Ｌ１３ｂ）と、前記ＬＣ型光アダプタＬ１の軸線方向中間部位に設けられた中間壁Ｌ１４と、前記中間壁Ｌ１４に軸線方向に沿うように設けられた中空のボス部（第１ボス部Ｌ１５ａ及び第２ボス部Ｌ１５ｂ）と、前記ボス部の中空部内に挿入された中空のスリーブＬ１６とを有している。
【００３４】
前記第１アダプタハウジングＬ１ａは、第１上壁Ｌ１１ａ、第１側壁Ｌ１２ａ及び第１底壁Ｌ１３ａの一端側に開口端Ｌ１８ａが設けられるとともに、他端側に端壁（前記中間壁Ｌ１４となる）が設けられ、各壁の内方に光コネクタＬ２を収容可能な第１収容部Ｌ１７ａを有している。前記端壁には、第１ボス部Ｌ１５ａが一体的に設けられている。同様に、前記第２アダプタハウジングＬ１ｂは、第２上壁Ｌ１１ｂ、第２側壁Ｌ１２ｂ及び第２底壁Ｌ１３ｂの一端側に開口端Ｌ１８ｂが設けられるとともに、他端側に端壁（前記中間壁Ｌ１４となる）が設けられ、各壁の内方に光コネクタＬ２を収容可能な第２収容部Ｌ１７ｂを有している。前記端壁には、第１ボス部Ｌ１５ｂが一体的に設けられている。前記第１及び第２アダプタハウジングＬ１ａ，Ｌ１ｂは、前記端壁の外表面同士を当接させ、前記第１及び第２ボス部Ｌ１５ａ，Ｌ１５ｂが連通された状態で接合されており、前記第１及び第２ボス部Ｌ１５ａ，Ｌ１５ｂ内に前記スリーブＬ１６が挿入されている。
なお、図１２及び図１３の構成においては、第１及び第２アダプタハウジングＬ１ａ，Ｌ１ｂの開口端Ｌ１８ａ，Ｌ１８ｂにそれぞれ２つずつ第１及び第２収容部Ｌ１７ａ，Ｌ１７ｂが設けられているが、これに限られず、前記開口端に１つずつ設けることとしてもよい。
【００３５】
前記ＬＣ型光アダプタＬ１の第１収容部Ｌ１７ａの開口端（即ち、前記第１アダプタハウジングＬ１ａの開口端）Ｌ１８ａは、上角部が面取り形状とされている。詳しくは、前記第１上壁Ｌ１１ａは、開口端Ｌ１８ａ側に位置する開口端辺（一端側端辺）Ｌ１１ａ１と、前記開口端辺Ｌ１１ａ１の両端部から前記中間壁Ｌ１４へ向かって延びる一対の側方端辺Ｌ１１ａ２とを含む。また、前記第１底壁Ｌ１３ａは、開口端Ｌ１８ａ側に位置する開口端辺（一端側端辺）Ｌ１３ａ１と、前記開口端辺Ｌ１３ａ１の両端部から前記中間壁Ｌ１４へ向かって延びる一対の側方端辺Ｌ１３ａ２とを含む。
前記一対の第１側壁Ｌ１２ａは、前記第１上壁Ｌ１１ａの側方端辺Ｌ１１ａ２及び前記第１底壁Ｌ１３ａの側方端辺Ｌ１３ａ２によってそれぞれ画される上方端辺Ｌ１２ａ１及び下方端辺Ｌ１２ａ２と、前記上方端辺Ｌ１２ａ１及び前記下方端辺Ｌ１２ａ２の一端側端部同士を連結する開口端辺（一端側端辺）Ｌ１２ａ３とを含む。
そして、前記第１上壁Ｌ１１ａの開口端辺Ｌ１１ａ１は前記第１底壁Ｌ１３ａの開口端辺よりも他端側に位置している。前記一対の第１側壁Ｌ１２ａ（及び２つの第１収容部Ｌ１７ａを区画する中央壁Ｌ１９ａ）の開口端辺Ｌ１２ａ３（及びＬ１９ａ１）は、前記上壁Ｌ１１ａとの連結部を含む上方領域Ｌ１２ａ４（及びＬ１９ａ２）が側面視において面取り形状とされている。
【００３６】
本実施の形態においては、前記上方領域Ｌ１２ａ４，Ｌ１９ａ２は、上方及び一端側へ開く凹状とされている。
即ち、前記ＬＣ型光アダプタＬ１は、上壁Ｌ１１ａの一端側端辺Ｌ１１ａ１及び一対の側壁Ｌ１２ａ又は中央壁Ｌ１９ａの一端側端辺Ｌ１２ａ３，Ｌ１９ａ２によって画される一端側上角部が面取り形状とされており、これにより、ＬＣ型光コネクタＬ２の脱着作業の容易化を図っている。
【００３７】
このようなＬＣ型光アダプタＬ１の第１収容部Ｌ１７ａにケーブル素線が被覆されて構成される第１光ケーブルＬ３を接続可能とするＬＣ型光コネクタＬ２は、前記第１光ケーブルＬ３の連結端部側において露出されたケーブル素線に外挿されるフェルールＬ２１と、前記フェルールＬ２１を囲繞するＬＣ型光コネクタ本体Ｌ２２と、基端部が前記ＬＣ型光コネクタ本体Ｌ２２の上面に上下方向弾性変形可能に固着され且つ先端部が前記基端部から前記第１光ケーブルＬ３の基端側且つ上方側へ延びる係合片Ｌ２３と、前記係合片Ｌ２３から側方へ突出された係合突起Ｌ２４とを有している。
なお、図１２及び図１３の構成においては、第１及び第２アダプタハウジングＬ１ａに２つ設けられた第１収容部Ｌ１７ａに対し、２つの第１光ケーブルＳ３を同時に接続させ得るＬＣ型光コネクタＬ２とされているが、これに限られず、２つある前記第１収容部Ｌ１７ａに対し１つずつ第１光ケーブルＳ３をそれぞれ個別に挿通可能なＬＣ型光コネクタを用いることとしてもよい。
【００３８】
一方、前記ＬＣ型光アダプタＬ１の前記第１収容部Ｌ１７ａは、前記ＬＣ型光コネクタ本体Ｌ２２を受け入れる第１空間Ｌ１７ａ１と、前記係合片Ｌ２３の前記基端部を含む一部を受け入れる第２空間Ｌ１７ａ２とを有し、前記第２空間Ｌ１７ａ２は、前記ＬＣ型光コネクタＬ２を外方から前記第１空間Ｌ１７ａ１内へ挿入するに従って前記係合片Ｌ２３が下方へ弾性変形するように前記係合突起Ｌ２４を案内し且つ前記フェルールＬ２１が前記スリーブＬ１６内に突入される連結位置まで前記ＬＣ型光コネクタＬ２が挿入されると前記係合突起Ｌ２４との係合が解除されるガイド面Ｌ１７ａ３と、前記ガイド面Ｌ１７ａ３の内端側から上方へ延びる係合面Ｌ１７ａ４であって、前記ＬＣ型光コネクタＬ２が前記連結位置に位置する際に前記ガイド面Ｌ１７ａ３及び前記係合突起Ｌ２４の係合が解除されて前記係合片Ｌ２３が保有弾性によって上方へ移動することで前記係合突起Ｌ２４と係合して該ＬＣ型光コネクタＬ２の抜け止めを行う係合面Ｌ１７ａ４とを有している。
【００３９】
以上のような構成において、前記ＬＣ型光アダプタＬ１の第１収納部Ｌ１７ａの開口端Ｌ１８ａに向けて前記ＬＣ型光コネクタＬ２のＬＣ型光コネクタ本体Ｌ２２を挿通させることにより両者を接続する。まず、前記ＬＣ型光コネクタ本体Ｌ２２を前記第１収納部Ｌ１７ａの第１空間Ｌ１７ａ１に挿通させることにより、前記ＬＣ型光アダプタＳ１に対する前記ＳＣ型光コネクタＳ２の位置決めが行われる。
【００４０】
また、前記第１収納部Ｌ１７ａの第２空間Ｌ１７ａ２内に前記ＬＣ型光コネクタＳ２の係合片Ｌ２３が挿通され、前記係合片Ｌ２３に設けられた係合突起Ｌ２４が前記第２空間Ｌ１７ａ２内のガイド面Ｌ１７ａ３と係合されることにより案内される。前記ガイド面Ｌ１７ａ３は、開口端Ｌ１８ａに離間するほど前記ＬＣ型光アダプタＬ１の上壁Ｌ１１aから離間するテーパ面を有しており、前記係合突起Ｌ２４が案内されることにより、前記係合片Ｌ２３を軸線中心へ近接する側に弾性変形させる。
さらに奥に挿通され、前記係合突起Ｌ２４が前記ＬＣ型光アダプタＬ１の係合面Ｌ１７ａ４の位置に来ると、前記ガイド面Ｌ１７ａ３との係合が解除されるため、前記係合片Ｌ２３の保有弾性により、前記係合突起Ｌ２４が軸線中心から離間する方向へ移動し、前記係合面Ｌ１７ａ４と係合され、前記ＬＣ型光アダプタＬ１から前記ＬＣ型光コネクタＬ２が抜け出すのを防止する。
なお、前記係合突起Ｌ２４と前記係合面Ｌ１７ａ４との係合時において、前記フェルールＬ２１の先端部は、スリーブＬ１６内の中央壁Ｌ１４を少し越えたあたりに位置される。前記フェルールＬ２１は、前記ＬＣ型光コネクタＬ２に対して軸線方向に移動可能且つ軸線方向先端側に付勢されている。従って、第１光ケーブルと第２光ケーブルとが前記ＬＣ型光アダプタＬ１に接続されると、互いのフェルールＬ２１が先端部同士を押し付けあう状態で当接される。これにより、接続時における光の伝達ロスを可及的に少なくすることができる。また、係合時においても前記係合片Ｌ２３の保有弾性により前記係合突起Ｌ２４が前記第１収納部Ｌ１７ａの上壁Ｌ１１ａ側内面を押圧することにより、意図的に前記フェルールＬ２１の位置を前記スリーブＬ１６内で底壁Ｌ１３ａ方向に偏心した状態で付勢されるため、第１光ケーブルと第２光ケーブルとが同じように偏心した位置で接続される。従って、互いのフェルールＬ２１の軸中心を軸ぶれさせることなくより同一位置に配置させることができる。
【００４１】
ところで、前記ＬＣ型光アダプタＬ１から前記ＬＣ型光コネクタＬ２を引き抜く場合には、前記係合片Ｌ２３を軸線中心方向に押下することにより、前記係合突起Ｌ２４と前記係合面Ｌ１７ａ４との係合が解除されるため、この状態のまま、前記ＬＣ型光コネクタＬ２を前記ＬＣ型光アダプタＬ１から引き抜くことができる。
【００４２】
なお、本実施の形態においては、前記第１及び第２アダプタハウジングＬ１ａ，Ｌ１ｂを同一形状としたが、当然ながら本発明は斯かる形態に限定されるものではない。
例えば、前記第２アダプタハウジングとして、図１４に示される小型光アダプタハウジングＬ１ｂ’を用いることも可能である。前記小型光アダプタハウジングＬ１ｂ’は、開口端Ｌ１８ｂと中間壁Ｌ１４との距離が前記光アダプタハウジングＬ１ｂに比べて短いものである。
【００４３】
次に、上記で説明したＳＣ型及びＬＣ型光アダプタＳ１，Ｌ１に装着される本発明に係るシャッタアッセンブリの一実施形態について説明する。
図１及び図２は本発明の一実施形態におけるシャッタアッセンブリを装着したＳＣ型光アダプタの斜視図である。図１は、シャッタ部材が閉塞位置にある状態を示し、図２は、シャッタ部材が開放位置にある状態を示す。また、図３は図２のＳＣ型光アダプタのシャッタアッセンブリ装着部分近傍の拡大側面図である。
同様に、図４及び図５は本発明の一実施形態におけるシャッタアッセンブリを装着したＬＣ型光アダプタの斜視図である。図４は、シャッタ部材が閉塞位置にある状態を示し、図５は、シャッタ部材が開放位置にある状態を示す。また、図６は図５のＬＣ型光アダプタのシャッタアッセンブリ装着部分近傍の拡大側面図である。
【００４４】
本実施形態のシャッタアッセンブリは、図１〜図６に示すように、前記ＳＣ型光アダプタＳ１又は前記ＬＣ型光アダプタＬ１の前記第１上壁Ｓ１１ａ，Ｌ１１ａ、前記一対の第１側壁Ｓ１２ａ，Ｌ１２ａ及び前記第１底壁Ｓ１３ａ，Ｌ１３ａの外周面にそれぞれ当接する上面部４１、一対の側面部４２及び底面部４３を有し、前記光アダプタＳ１，Ｌ１を囲繞するように該光アダプタＳ１，Ｌ１の一端側に脱着可能に装着されるシャッタハウジング４０と、前記上面部４１、前記一対の側面部４２及び前記底面部４３の一端側端辺４１１，４２１，４３１によって画される前記シャッタハウジング４０の一端側開口４０１を開閉し得るように前記底面部４３の一端側端辺４３１に枢支軸４４を介して揺動可能に連結されたシャッタ部材５０と、前記シャッタハウジング４０の前記一端側開口４０１を閉塞する方向に前記シャッタ部材５０を付勢するコイルスプリング６０とを備えている。そして、前記シャッタハウジング４０が前記光アダプタＳ１，Ｌ１に装着された状態において前記シャッタ部材５０が前記シャッタハウジング４０の前記一端側開口４０１を閉塞することにより、前記光アダプタＳ１，Ｌ１の前記第１収容部Ｌ１７ａの開口端Ｌ１８ａが閉塞されるものである。
【００４５】
上記構成のシャッタアッセンブリによれば、図１〜図６に示すように、前記光アダプタＳ１，Ｌ１の前記第１アダプタハウジングＳ１ａ，Ｌ１ａ側の前記第１上壁Ｓ１１ａ，Ｌ１１ａ、前記一対の第１側壁Ｓ１２ａ，Ｌ１２ａ及び前記第１底壁Ｓ１３ａ，Ｌ１３ａの外周面に前記シャッタハウジング４０の上面部４１、一対の側面部４２及び底面部４３がそれぞれ当接された状態で装着される。本実施形態においては、前記一対の第１側壁Ｓ１２ａ，Ｌ１２ａには、一対の凹部Ｓ１２ａ５，Ｌ１２ａ５（図１０及び図１３参照）が設けられるとともに、前記一対の側面部４２には、当該側面部４２の内方且つ前記シャッタハウジング４０の前記一端開口４０１に向かって延びた一対の係合片４２２が設けられ、前記一対の係合片４２２が前記一対の凹部Ｓ１２ａ５，Ｌ１２ａ５に係合されることにより、シャッタアッセンブリのシャッタハウジング４０が光アダプタＳ１，Ｌ１の一端側に当該光アダプタＳ１，Ｌ１を囲繞するように装着され且つ抜けが防止される。
【００４６】
また、前記シャッタハウジング４０の底面部４３の一端側端辺４３１にシャッタ部材５０が枢支軸４４を介して揺動可能に連結されており、シャッタ部材５０が枢支軸４４回りに揺動することにより前記シャッタハウジング４０の一端側開口４０１が開閉される。前記シャッタ部材５０は、コイルスプリング６０によりシャッタハウジング４０の前記一端側開口４０１を閉塞する方向に付勢されている。前記シャッタハウジング４０が光アダプタＳ１，Ｌ１に装着された状態においてシャッタ部材５０を前記コイルスプリング６０の付勢力に抗して開放位置に位置させることにより、光コネクタＳ２，Ｌ２を光アダプタＳ１，Ｌ１の第１収納部Ｓ１７ａ，Ｌ１７ａに接続することができる。一方、接続された光コネクタＳ２，Ｌ２を引き抜くと、コイルスプリング６０の保有弾性により、前記シャッタ部材５０が前記シャッタハウジング４０の前記一端側開口４０１を閉塞する閉塞位置に自動復帰する。前記シャッタハウジング４０の前記一端側開口４０１が閉塞されることにより、前記光アダプタＳ１，Ｌ１の前記第１収容部Ｓ１７ａ，Ｌ１７ａの開口端Ｓ１８ａ，Ｌ１８ａが閉塞される。
【００４７】
以上のように、光アダプタＳ１，Ｌ１を囲繞するように脱着可能なシャッタハウジング４０に揺動可能なシャッタ部材５０を設ける構成としたため、ＳＣ型及びＬＣ型の何れかに関わらず、光アダプタＳ１，Ｌ１にシャッタハウジング４０を装着することにより、ＳＣ型及びＬＣ型の何れの光アダプタＳ１，Ｌ１にも容易にシャッタ部材５０を設けることができる。これにより、光アダプタのタイプに応じてそれぞれ個別にシャッタ部材５０を設けるための設計を行う必要がなくなり、金型も共通設計することができる。従って、設計の労力や製造コストを低減させることができる。
また、シャッタ部材を備えていない既存の光アダプタＳ１，Ｌ１に対しても本シャッタアッセンブリを装着させることにより、シャッタ部材５０を容易に設けることができる。
【００４８】
本実施形態において、前記シャッタ部材５０は、樹脂による一体成型により形成され、前記シャッタハウジング４０は、アルミ等の金属を折り曲げ加工することにより形成される。
この際、装着される光アダプタＳ１，Ｌ１の製造誤差等により大きさにばらつきがある場合であっても光アダプタＳ１，Ｌ１への装着が可能となるように、前記シャッタハウジング４０の上面部４１に締め付け調整可能なスリット４１２が設けられている。なお、前記スリット４１２は、例えば、前記ＳＣ型光アダプタＳ１における前記ガイド溝Ｓ１９や前記ＬＣ型光アダプタＬ１における金型抜き出し用孔Ｌ１１ａ３上に位置しないように設けられる。これにより、光アダプタＳ１，Ｌ１へ装着した際、遮光性及び防塵性の向上を図ることができる。
【００４９】
より詳しく説明する。
本実施形態のシャッタアッセンブリにおいて、図３及び図６に示すように、前記上面部４１の一端側端辺４１１は前記底面部４３の一端側端辺４３１よりも内方に位置している。
また、図５及び図６に示すように、前記側面部４２の一端側端辺４２１は、前記ＬＣ型光アダプタＬ１の一端側上方角部（即ち、前記第１側壁Ｌ１２ａ３の前記上方領域Ｌ１２ａ４）における面取り形状に対応した形状を有する上方領域４２３と、前記上部領域４２３から下方へ延びる下方領域４２４とを有し、前記下方領域４２４は、前記上面部４１の一端側端辺４１１が前記第１上壁Ｌ１１ａの一端側端辺Ｌ１１ａ１と略同一位置に位置し且つ前記底面部４３の一端側端辺４３１が前記第１底壁Ｌ１３ａの一端側端辺Ｌ１３ａ１よりも外方に位置した状態で前記側面部４２の前記上方領域４２３が前記ＬＣ型光アダプタＬ１の一端側上方角部における面取り部（上方領域Ｌ１２ａ４）と略同一位置に位置するように前記シャッタハウジング４０を前記ＬＣ型光アダプタＬ１に装着した際に、前記ＬＣ型光アダプタＬ１の第１側壁Ｌ１２ａの一端側端辺Ｌ１２ａ１より外方に位置している。
さらに、図２及び図３に示すように、前記上面部４１の一端側端辺４１１が前記ＳＣ型光アダプタＳ１の前記第１上壁Ｓ１１ａの一端側端辺Ｓ１１ａ１より内方に位置し且つ前記底面部４３の一端側端辺４３１が前記第１底壁Ｓ１３ａの一端側端辺Ｓ１３ａ１よりも外方に位置するように前記シャッタハウジング４０を前記ＳＣ型光アダプタＳ１に装着した際に、前記ＳＣ型光アダプタＳ１の第１側壁Ｓ１２ａの一端側端辺Ｓ１２ａ１より外方に位置している。
【００５０】
そして、前記シャッタ部材５０は、前記底面部４３の一端側端辺４３ａ１に揺動可能に支持されたプレート状のシャッタ本体５１と、前記シャッタ本体５１の両側縁のうちの一部から略直交する方向へ延びる一対のリブ部５２とを有し、前記シャッタハウジング４０を前記ＬＣ型光アダプタＬ１及び前記ＳＣ型光アダプタＳ１の何れに装着しても前記シャッタ部材５０が閉塞位置に位置されると、前記シャッタ本体５１の内周面が前記下方領域４２４の一端側端辺（側面部４２の一端側端辺４２１の直線部分）に当接した状態で前記リブ部５２が前記上方領域４２３の一端側端辺（側面部４２の一端側端辺４２１の面取り形状部分）に当接する。
【００５１】
この場合、シャッタ部材５０は、シャッタハウジング４０の底面部４３の一端側端辺４３１に揺動可能に支持されたプレート状のシャッタ本体５１の両側縁のうちの一部から一対のリブ部５２が略直交する方向へ延びている。
そして、シャッタハウジング４０を側面視における一端側端辺の上角部（前記側壁Ｌ１２ａの一端側端辺Ｌ１２ａ１の上方領域Ｌ１２ａ４）の形状が面取り形状とされたＬＣ型光アダプタＬ１に装着すると、図４〜図６に示すように、シャッタハウジング４０の上面部４１の一端側端辺４１１がＬＣ型光アダプタＬ１の第１上壁Ｌ１１ａの一端側端辺Ｌ１１ａ１と略同一位置に位置し、シャッタハウジング４０の底面部４３の一端側端辺４３１がＬＣ型光アダプタＬ１の第１底壁Ｌ１３ａの一端側端辺Ｌ１３ａ１よりも外側に位置する。
【００５２】
ここで、前記シャッタハウジング４０の側面部４２の上方領域４２３は、ＬＣ型光アダプタＬ１の一端側上方角部（前記第１側壁Ｌ１２ａの上方領域Ｌ１２ａ４）における面取り形状に対応した形状を有しており、シャッタハウジング４０をＬＣ型光アダプタＬ１に装着した際、シャッタハウジング４０の側面部４２の上方領域４２３は、ＬＣ型光アダプタＬ１の一端側上方角部Ｌ１２ａ４における面取り部と略同一位置に位置する一方、シャッタハウジング４０の側面部４２の下方領域４２４は、ＬＣ型光アダプタＬ１の第１側壁Ｌ１２ａの一端側端辺Ｌ１２ａ１より外方に位置する。
従って、シャッタ部材５０を揺動させて開放させた際、ＬＣ型光アダプタＬ１の前記面取り部のある一端側上方角部Ｌ１２ａ４は、シャッタハウジング４０の側面部４２に遮蔽されることなく面取り部の形状が保持される。従って、シャッタアッセンブリが装着された状態でも前記ＬＣ型光コネクタＬ２を前記ＬＣ型光アダプタＬ１から引き抜く際に、前記ＬＣ型光コネクタＬ２の係合片Ｌ２３を押下し易くすることができる。
【００５３】
また、シャッタハウジング４０を側面視における開口端Ｓ１８ａの形状が略垂直方向に沿った直線状とされたＳＣ型光アダプタＳ１に装着すると、図１〜図３に示すように、シャッタハウジング４０の上面部４１の一端側端辺４１１がＳＣ型光アダプタＳ１の第１上壁Ｓ１１ａの一端側端辺Ｓ１１ａ１より内方に位置し、シャッタハウジング４０の底面部４３の一端側端辺４３１がＳＣ型光アダプタＳ１の第１底壁Ｓ１３ａの一端側端辺Ｓ１３ａ１よりも外側に位置する。さらに、シャッタハウジング４０の側面部４２の下方領域４２４は、ＳＣ型光アダプタＳ１の第１側壁Ｓ１２の一端側端辺Ｓ１２ａより外側に位置する。
【００５４】
そして、シャッタハウジング４０を前記ＬＣ型光アダプタＬ１及び前記ＳＣ型光アダプタＳ１の何れに装着した場合であっても、前記シャッタ部材５０が閉塞位置に位置されると、前記シャッタ本体５１の内周面が前記シャッタハウジング４０の前記下方領域４２４に当接した状態で前記リブ部５２が前記シャッタハウジング４０の上方領域４２３に当接する。即ち、ＬＣ型光アダプタＬ１及びＳＣ型光アダプタＳ１の何れに装着したかに関わらず、シャッタハウジング４０の側面部４２の全域とシャッタ部材５０とが当接することにより、光アダプタＳ１，Ｌ１の開口端Ｓ１８ａ，Ｌ１８ａが隙間なく閉塞される。
【００５５】
このように、シャッタハウジング４０をＬＣ型光アダプタＬ１の面取り形状に対応した形状にした上で、シャッタ部材５０に当該形状に対応するリブ部５２を設けることにより、ＬＣ型光アダプタＬ１に装着した際に、光ケーブルＬ３の端部に設けられたＬＣ型光コネクタＬ２の脱着を容易にするためにＬＣ型光アダプタＬ１に設けられた面取り部の形状を有効に活かすことができるとともに、いずれの光アダプタＳ１，Ｌ１に装着した場合であっても、シャッタ部材５０による光アダプタＳ１，Ｌ１の開口端Ｓ１８ａ，Ｌ１８ａの閉塞をより完全にすることができる。
【００５６】
ここで、前記シャッタハウジング４０と前記シャッタ部材５０との連結態様をより詳しく説明する。
図７は、本実施形態のシャッタ部材５０を示す斜視図であり、図８及び図９は、図２のシャッタアッセンブリの開放位置における底面図及び底面斜視図である。なお、図７〜図９においては、前記ＳＣ型光アダプタＳ１に装着した例を示し、以下においても前記ＳＣ型光アダプタＳ１に装着した場合を例として説明するるが、前記ＬＣ型光アダプタＬ１に装着した場合も同様である。
本実施形態において、前記シャッタ部材５０は、図７に示すように、前記シャッタ本体５１の基端側面５１１に一体的に設けられ、前記枢支軸４４が内挿される一対の第１及び第２軸受部５３，５４を有している。
【００５７】
一方、前記シャッタハウジング４０の前記底面部４３は、図８及び図９に示すように、前記ＳＣ型光アダプタ（以下、単に光アダプタと称する）Ｓ１の底壁Ｓ１３ａに当接するプレート状の底面本体４３ａと、前記シャッタ部材５０を前記シャッタハウジング４０に連結させた状態において前記シャッタ部材５０の前記第１軸受部５３及び前記第２軸受部５４の間において前記底面本体４３ａから一端側へ延び、前記枢支軸４４を支持する一対の支持片４３ｂ，４３ｃと、前記シャッタ部材５０を前記シャッタハウジング４０に連結させた状態において前記シャッタ部材５０の前記第１軸受部５３よりも前記枢支軸４４の軸線方向４４ａに関し外方において前記底面本体４３ａから一端側へ延びる第１停止片４３ｄであって、前記枢支軸４４の基端部と対向する第１停止片４３ｄと、前記シャッタ部材５０を前記シャッタハウジング４０に連結させた状態において前記シャッタ部材５０の前記第２軸受部５４よりも前記枢支軸４４の軸線方向４４ａに関し外方において前記底面本体４３ａから一端側へ延びる第２停止片４３ｅであって、前記枢支軸４４の先端部と対向する第２停止片４３ｅとを備えている。
本実施形態において、前記一対の支持片４３ｂ，４３ｃは、前記シャッタ部材５０を前記シャッタハウジング４０に連結させた状態において前記シャッタ部材５０の第１軸受部５３に隣接して設けられた第１支持片４３ｂと、前記シャッタ部材５０の第２軸受部５４に隣接して設けられた第２支持片４３ｃと、前記第１支持片４３ｂと前記第２支持片４３ｃとの間で前記コイルスプリング６０が前記枢支軸４４に外挿された状態で位置される空間部４３ｆとを有している。
【００５８】
そして、前記コイルスプリング６０は、前記シャッタ部材５０が閉塞位置から開放位置へ移行するに従って保有弾性が大きくなるように、一端部が前記シャッタ部材５０の内部に係合され且つ他端部が前記底面部４３の外表面に係合された状態で前記空間部４３ｆにおいて前記枢支軸４４に外挿されている。
【００５９】
上記構成のシャッタ部材５０をシャッタハウジング４０に連結して組み立てる工程について説明する。
まず、前記シャッタハウジング４０の第１停止片４３ｄを前記光アダプタＳ１の底壁Ｓ１３ａから離間する方向（下方）に変形させた状態で、前記枢支軸４４の先端部をシャッタ部材５０の第１軸受部５３に挿通させるとともに、シャッタハウジング４０の底面部４３の第１支持片４３ｂに支持させる。その後、前記空間部４３ｆにおいて、コイルスプリング６０の内部に前記枢支軸４４の先端部を挿通した上で、第２支持片４３ｅに支持させる。続いて、前記枢支軸４４の先端部を第２軸受部５４に挿通させる。
このとき、前記第２停止片４３ｅは、前記枢支軸４４の先端部と対向するように配置されているため、第２停止片４３ｅによって前記枢支軸４４の挿通方向への抜けが防止される。この状態において、前記第１停止片４３ｄが前記枢支軸４４の基端部と対向するように、前記第１停止片４３ｄを前記光アダプタＳ１の底壁Ｓ１３ａに近接する方向へ再変形させることにより、第１停止片４３ｄが前記枢支軸４４の挿入方向とは反対方向への抜けを防止する。
【００６０】
ここで、本実施形態の前記第２軸受部５４には、前記第１軸受部５３と対向する対向端面５４ａに開き、且つ、前記枢支軸４４の軸線方向４４ａと直交する方向に沿ったガイド溝５５が設けられている。この前記ガイド溝５５の開口幅は、前記対向端面５４ａにおいては前記軸受部５４の軸受孔５６の直径よりも大きく、且つ、前記対向端面５４ａから前記第１軸受部５３とは反対方向へ行くに従って幅狭（最も軸線方向外端面側において軸受孔５６の直径と略同じ幅）とされている。
【００６１】
前記ガイド溝５５を有する第２軸受部５４を含むシャッタ部材５０の形成に際しては、前記軸受部５３，５４を含むシャッタ部材５０全体形成用の第１形成部と、第２軸受部５４のガイド溝５５形成用として枢支軸４４の軸線方向４４ａと直交する方向に先端に向かうに従って幅狭となる一対のテーパ面を有する第２形成部とを有する金型を用意する。この第２形成部は、第１形成部に対し、第２形成部のテーパ面に沿った方向に摺動可能に取り付けられている。前記第１形成部に前記第２形成部を所定位置に位置させた状態で樹脂を流す。そして、前記樹脂が固体化した後にまず前記第２形成部を前記テーパ面に沿った方向（前記軸線方向４４ａと直交する方向）に摺動させてガイド溝５５の形成部分について離型した上で、さらに前記第１形成部から抜き出すことにより、シャッタ部材５０が一体成型される。このとき、前記第２軸受部５４には、前記対向端面５４ａにおいて互いに最も離間し、且つ、前記第１軸受部５３とは反対方向へ行くに従って互いに近接するような一対のテーパ面を有するガイド溝５５が形成される。
【００６２】
このようにして、前記第２軸受部５４の前記第１軸受部５３と対向する対向端面５４ａに開き、且つ、前記枢支軸４４の軸線方向４４ａと直交する方向に沿ったガイド溝５５を設けることにより、第１及び第２軸受部５３，５４を含むシャッタ部材５０を金型を用いた樹脂成形で形成する際に、前記枢支軸４４の軸線方向４４ａと直交する方向に前記ガイド溝５５用の前記第２形成部を摺動させることができるため、第２軸受部５５に対向する第１軸受部５３に邪魔されることなく容易に第２形成部を離型させることができ、ガイド溝５５を容易に形成することができる。
しかも、前記ガイド溝５５の開口幅は、前記対向端面５４ａにおいては前記軸受部５４の軸受孔５６の直径よりも大とされ、且つ、前記対向端面５４ａから前記第１軸受部５３とは反対方向へ行くに従って幅狭とされているため、前記第１軸受部５３に挿通させた前記枢支軸４４の先端部を前記第２軸受部５４の前記対向端面５４ａから挿通させる際に、前記第２軸受部５４の開口面積がより大きくなり、枢支軸４４の挿通を容易に行うことができる。
従って、光アダプタＳ１の開口端Ｓ１８ａを開閉し得るように枢支軸４４を介して揺動可能に連結されたシャッタ部材５０の組立作業効率をより向上させることができる。
【００６３】
本実施形態において、前記第１軸受部５３には、図７に示すように、前記第２軸受部５４とは反対側の外端面５３ａに開き且つ前記第２軸受部５４に近接する方向へ行くに従って縮径されたガイド孔５７が設けられている。
【００６４】
この場合、第１軸受部５３の枢支軸４４挿入側となる外端面５４ａに開き且つ第２軸受部５４に近接する方向へ行くに従って縮径されたガイド孔５７が設けられる。従って、枢支軸４４の先端部を第１軸受部５３の前記外端面５３ａから挿入させる際に、軸受部５３の開口径がより大きくなり、枢支軸４４の挿通をより容易に行うことができる。
【００６５】
また、本実施形態において、前記シャッタ本体５１の前記基端側面５１１には、前記コイルスプリング６０の一端部が係入される係入穴５１１ａが形成されている。
【００６６】
この場合、コイルスプリング６０の一端部がシャッタ部材５０の内部に係合される一方、他端部がシャッタハウジングの底面部４３の外表面（ガイド溝を設けることとしてもよい）に係合された状態で枢支軸４４に外挿される。これにより、シャッタ部材５０を閉塞位置から開放位置へ移行させるに従ってコイルスプリング６０が巻き締められて、保有弾性が大きくなる。従って、シャッタ部材５０が閉塞位置にへ向けて付勢される。
ここで、シャッタ本体５１の前記基端側面５１１に形成された係入穴５１１ａにコイルスプリング６０の一端部が係入される。従って、コイルスプリング６０の一端部がシャッタ本体５１の前記係入穴５１１ａに係入した状態で枢支軸４４を各軸受部５４，５３に挿通する作業を行うことができるため、挿通作業時におけるコイルスプリングの脱落を防止し、位置決めを容易にすることができ、組立作業をより容易にすることができる。
【００６７】
本実施形態において、前記シャッタ本体５１の前記基端側面５１１は、図８及び図９に示すように、少なくとも前記第１停止片４３ｄに対応した領域が切り欠かれた切り欠き部５１１ｂを有している。
【００６８】
ここで、前記シャッタ本体５１の前記基端側面５１１が直線状であると、前記第１停止片４３ｄを前記光アダプタＳ１の底壁Ｓ１３ａに近接する方向へ再変形させる際に、前記第１停止片４３ｄを前記基端側面５１１に当接させるまで押し曲げても、前記第１停止片４３ｄの弾性により前記第１停止片４３ｄが変形前の位置まで戻らない場合がある。このような場合、結果として、前記第１停止片４３ｄによる前記枢支軸４４の抜け止め作用に支障を来す恐れがある。
そこで、この点に鑑み、前記シャッタ本体５１の前記基端側面５１１の切り欠き部５１１ｂにより、少なくとも前記第１停止片５１１に対応した領域が切り欠かれている。つまり、第１停止片４３ｄの先端部と前記基端側面５１１の切り欠き部５１１ｂとの距離が前記第２停止片４３ｅの先端部と前記基端側面５１１との距離より大きくなる（空間が広くなる）。これにより、前記第１停止片４３ｄを前記光アダプタＳ１の底壁Ｓ１３ａに近接する方向へ再変形させる際に、押し曲げ量をより多くすることができるため、前記第１停止片４３ｄを前記変形前の位置まで確実に戻すことができ、前記第１停止片４３ｄによる前記枢支軸４４の抜け止め作用をより確実に発揮させることができる。
【００６９】
本実施形態において、前記第１支持片４３ｂは、前記シャッタ部材５０を前記シャッタハウジング４０に連結させた状態において前記第１軸受部５３に隣接し、前記枢支軸４４が前記底面本体４３ａ側へ向けて移動するのを規制する第１内側支持片４３ｂ１と、前記シャッタ部材５０を前記シャッタハウジング４０に連結させた状態において前記空間部４３ｆ（即ち前記コイルスプリング６０）に隣接し、前記枢支軸４４が前記底面部４３に垂直な方向及び前記底面部４３の一端側へ向けて移動するのを規制する第１外側支持片４３ｂ２とを備え、前記第１内側支持片４３ｂ１と前記第１外側支持片４３ｂ２とで前記枢支軸４４を支持している。同様に、前記第２支持片４３ｃは、前記シャッタ部材５０を前記シャッタハウジング４０に連結させた状態において前記第２軸受部５４に隣接し、前記枢支軸４４が前記底面本体４４ａ側へ向けて移動するのを規制する第２内側支持片４３ｃ１と、前記シャッタ部材５０を前記シャッタハウジング４０に連結させた状態において前記空間部４３ｆ（即ち前記コイルスプリング６０）に隣接し、前記枢支軸４４が前記底面部４３に垂直な方向及び前記底面部４３の一端側へ向けて移動するのを規制する第２外側支持片４３ｃ２とを備え、前記第２内側支持片４３ｃ１と前記第２外側支持片４３ｃ２とで前記枢支軸４４を支持している。
より具体的には、第１内側支持片４３ｂ１は、先端部が前記底面部４３から前記光アダプタＳ１の第１底壁Ｓ１３ａから離間する方向に略直角に折り曲げられた状態で装着状態にある枢支軸４４より前記底面部４３の一端側端辺４３１とは反対側に位置し、第１外側支持片４３ｂ２は、先端部が前記底面部４３から前記第１底壁Ｓ１３ａから離間する方向に当該上面部４１と略平行となるように円弧状に折り曲げられ、当該円弧状部分の内面が装着状態にある枢支軸４４と摺動可能に位置する。
【００７０】
本実施形態において、前記第１停止片４３ｄは、前記底面本体４３ａから一端側へ延びるアーム部４３ｄ１と、前記枢支軸４４の基端部と対向するように前記アーム部４３ｄ１から折り曲げられた停止面部４３ｄ２とを有している。同様に、前記第２停止片４３ｅは、前記底面本体４３ａから一端側へ延びるアーム部４３ｅ１と、前記枢支軸４４の先端部と対向するように前記アーム部４３ｅ１から折り曲げられた停止面部４３ｅ２とを有している。
【００７１】
この場合、枢支軸４４の基端部は、第１停止片４３ｄの前記底面本体４３ａから一端側へ延びるプレート状のアーム部４３ｄ１の先端部において内方に延びた端片を前記光アダプタＳ１装着時における光アダプタＳ１の前記第１底壁Ｓ１３ａから離間する方向に略直角に折り曲げて形成された停止面部４３ｄ２と対向するように配置される。同様に、枢支軸４４の先端部は、第２停止片４３ｅの前記底面本体４３ａから一端側へ延びるプレート状のアーム部４３ｅ１の先端部において内方に延びた端片を前記第１底壁Ｓ１３ａから離間する方向に略直角に折り曲げて形成された停止面部４３ｅ２と対向するように配置される。つまり、前記停止面部４３ｄ２，４３ｅ２は、枢支軸４４の軸線方向４４ａと略垂直な折り曲げ線を境に折り曲げられている。
従って、第１停止片４３ｄ及び第２停止片４３ｅによる前記枢支軸４４の抜けを防止する際に、前記枢支軸４４の基端部を面で受けることができるため、前記枢支軸４４の抜け止め作用をより確実とすることができる。
特に、前記第１停止片４３ｄを前記光アダプタＳ１の第１底壁Ｓ１３ａに近接する方向へ再変形させる際の押し曲げ量について個体によって多少のばらつきが生じた場合であっても、前記第１停止片４３ｄによる前記枢支軸４４の抜け止め不良をより確実に防止することができる。
【００７２】
本実施形態において、前記第１停止片４３ｄの前記アーム部４３ｄ１の基端部は、前記第２停止片４３ｅの前記アーム部４３ｅ１の基端部より底面部４３の一端側端辺４３１とは反対側に位置することにより、前記第１停止片４３ｄの前記アーム部４３ｄ１のアーム長が前記第２停止片４３ｅの前記アーム部４３ｅ１より長く形成されている。
これにより、前記第１停止片４３ｄを前記光アダプタＳ１の第１底壁Ｓ１３ａから離間する方向（下方）に変形させる際に変位量を大きくして枢支軸４４を挿通し易くさせることができる。
【００７３】
また、本実施形態において、シャッタハウジング４０の各片（例えば、第１及び第２停止片４３ｄ，４３ｅのアーム部４３ｄ１，４３ｅ１の先端及び基端部、第１及び第２支持片４３ｂ，４３ｃの先端及び基端部等）の角部は丸められている。角部の接触による傷の発生を防ぎ、光コネクタＳ２接続作業時における怪我の発生を防ぐことができる。
【００７４】
以上、本発明に係る実施の形態を説明したが、本発明は上記実施形態に限定されるものではなく、その趣旨を逸脱しない範囲内で種々の改良、変更、修正が可能である。
例えば、上記実施形態においては、前記シャッタ本体５１の前記基端側面５１１に、前記コイルスプリング６０の一端部が係入される係入穴５１１ａが形成された構成について説明したが、これに限られず、一端部が前記シャッタ部材５０の外表面に係合され且つ他端部が前記底面部４３の外表面に係合された状態で前記枢支軸４４に外挿されており、前記シャッタ部材５０の外表面には前記コイルスプリング６０の一端部が係入される係入溝が形成される構成としてもよい。
また、本実施形態においては、前記第１及び第２停止片４３ｄ，４３ｅのアーム部４３ｄ１，４３ｅ１の先端部において内方に延びた端片を前記第１底壁Ｓ１３ａ，Ｌ１３ａから離間する方向に略直角に折り曲げて停止面部４３ｄ２，４３ｅ２を形成することにより停止面部４３ｄ２と枢支軸４４の端部が対向するように配置された構成について説明したが、これに限られず、前記第１及び第２停止片４３ｄ，４３ｅのアーム部４３ｄ１，４３ｅ１の先端部を枢支軸４４の軸線方向４４ａと略平行な折り曲げ線を境に前記第１底壁Ｓ１３ａ，Ｌ１３ａから離間する方向に略直角に折り曲げて前記先端部の側面と枢支軸４４の端部とが対向するように配置される構成としてもよい。
【図面の簡単な説明】
【００７５】
【図１】図１は本発明の一実施形態におけるシャッタアッセンブリを装着したＬＣ型光アダプタにおいてシャッタ部材が閉塞位置にある状態を示した斜視図である。
【図２】図２は本発明の一実施形態におけるシャッタアッセンブリを装着したＬＣ型光アダプタにおいてシャッタ部材が開放位置にある状態を示した斜視図である。
【図３】図３は図２のＳＣ型光アダプタのシャッタアッセンブリ装着部分近傍の拡大側面図である。
【図４】図４は本発明の一実施形態におけるシャッタアッセンブリを装着したＬＣ型光アダプタにおいてシャッタ部材が閉塞位置にある状態を示した斜視図である。
【図５】図５は本発明の一実施形態におけるシャッタアッセンブリを装着したＬＣ型光アダプタにおいてシャッタ部材が開放位置にある状態を示した斜視図である。
【図６】図６は図５のＬＣ型光アダプタのシャッタアッセンブリ装着部分近傍の拡大側面図である。
【図７】図７は本実施形態のシャッタ部材５０を示す斜視図である。
【図８】図８は図２のシャッタアッセンブリの開放位置における底面図である。
【図９】図９は図２のシャッタアッセンブリの開放位置における底面斜視図である。
【図１０】図１０はＳＣ型光アダプタの斜視図である。
【図１１】図１１は図１０の軸線方向断面斜視図である。
【図１２】図１２はＬＣ型光アダプタの斜視図である。
【図１３】図１３は図１２の軸線方向断面斜視図である。
【図１４】図１４は図１２のＬＣ型光アダプタにおいて前記第２アダプタハウジングとして小型光アダプタハウジングを用いた例を示す斜視図である。
【符号の説明】
【００７６】
Ｓ１，Ｌ１            光アダプタ
Ｓ１１ａ，Ｌ１１ａ    第１上壁
Ｓ１２ａ，Ｌ１２ａ    第１側壁
Ｓ１３ａ，Ｌ１３ａ    第１底壁
Ｓ１６，Ｌ１６        スリーブ
Ｓ１７ａ，Ｌ１７ａ    第１収容部
Ｓ１７ｂ，Ｌ１７ｂ    第２収容部
Ｓ２，Ｌ２            光コネクタ
Ｓ２１，Ｌ２１        フェルール
Ｓ３，Ｌ３            光ケーブル
４０                  シャッタハウジング
４１                  上面部
４２                  側面部
４３                  底面部
４３ａ                底面本体
４３ｂ，４３ｃ        支持片
４３ｄ                第１停止片
４３ｄ１              アーム部
４３ｄ２              停止面部
４３ｅ                第２停止片
４４                  枢支軸
４４ａ                枢支軸の軸線方向
４０１                一端側開口
５０                  シャッタ部材
５１                  シャッタ本体
５１１ａ              切り欠き部
５１１ｂ              係入穴
５３                  第１軸受部
５４                  第２軸受部
５５                  ガイド溝
５６                  軸受孔
５７                  ガイド孔
６０                  コイルスプリング
【図１】
0004780794.tif 000002
【図２】
0004780794.tif 000003
【図３】
0004780794.tif 000004
【図４】
0004780794.tif 000005
【図５】
0004780794.tif 000006
【図６】
0004780794.tif 000007
【図７】
0004780794.tif 000008
【図８】
0004780794.tif 000009
【図９】
0004780794.tif 000010
【図１０】
0004780794.tif 000011
【図１１】
0004780794.tif 000012
【図１２】
0004780794.tif 000013
【図１３】
0004780794.tif 000014
【図１４】
0004780794.tif 000015